(57)【要約】  【課題】  段ボール紙等の一枚板から組み立てられる包装ケースにおいて、接着剤等を使用せずに収容空間を維持することができ、また、複数の製品等を収納するための収容空間の仕切り板、収容空間に収納される製品等を位置決めする位置決め片、及び、緩衝材の機能を有する緩衝部が、本体の組立と同時に形成される包装ケースを提供する。  【解決手段】  台座板１８を矢印Ｇの方向に折曲させると、台座板１８に連設されている位置決め片２４ａ，２４ｂが、それぞれ挿通用開口部２３ａ，２３ｂを挿通して、自動的に第２収納空間Ｓ２内へと突出する。また、第２支持板１９に設けられた支持板固定片１９ａを、底板２に穿設されたスリット２ａへと挿入することにより、台座板１８が第１支持板１７、第２支持板１９及び支持片１６ｂ，１７ａよって支持され底緩衝部分が形成される。  【選択図】      図９
2008056346.tif 000002
【特許請求の範囲】
【請求項１】
一枚板から組み立てられる包装ケースにおいて、矩形状の底板と、該底板の対向する二辺に折り線を介して連設される端板と、前記底板の前記端板が設けられていない二辺に折り線を介して連設される側板と、該側板のうち、一方の側板の前記底板と連続する辺に対向する辺に折り線を介して連設される蓋板と、他方の側板の前記底板と連続する辺に対向する辺に折り線を介して連設される連結板と、該連結板の前記側板と連続する辺に対向する辺に折り線を介して連設される側方仕切板とからなり、
前記端板及び前記側方仕切板にはそれぞれ嵌合用切欠が形成されており、前記端板に形成された嵌合用切欠と、前記側方仕切板に形成された嵌合用切欠とを係合させることで箱体が維持されることを特徴とする包装ケース。
【請求項２】
前記側方仕切板の前記連結板と連続する辺に対向する辺には、折り線を介して縦方仕切板が連設され、該縦方仕切板の前記側方仕切板と連続する辺に対向する辺には、折り線を介して仕切板支持片が連設されていることを特徴とする請求項１に記載の包装ケース。
【請求項３】
前記側方仕切板の前記連結板と連続する辺に対向する辺には、折り線を介して第１支持板が連設され、該第１支持板の前記側方仕切板と連続する辺に対向する辺には、折り線を介して台座板が連設され、該台座板の前記第１支持板と連続する辺に対向する辺には、第２支持板が連設されており、
前記端板及び前記側方仕切板に形成された嵌合用切欠を係合させると、周囲を前記側方仕切板と前記端板と前記側板で囲まれ上面が開口した第１収納空間及び上面を前記連結板で覆われた第２収納空間が形成され、前記台座板を前記第１収納空間内へと折曲すると、前記台座板に設けられた位置決め片が、前記第２収納空間へと突出することを特徴とする請求項１に記載の包装ケース。
【請求項４】
前記第１支持板の前記側方仕切板及び前記台座板が設けられていない２辺には外方へと延出する支持片が連設されており、前記側方仕切板の前記第１支持板と連続する辺側の両端部には外方へと延出する支持片が連設されており、前記台座板を前記第１収納空間へと折曲すると、前記台座板が前記第１支持板、前記第２支持板及び前記支持片によって支持されることを特徴とする請求項３に記載の包装ケース。
【請求項５】
前記第１支持板には、前記側方仕切板と連続する辺から前記台座板と連続する辺に近づくに従って、前記側方仕切板と前記第１支持板とが連続する方向に対して直交する方向の長さが漸次短くなるように形成された台形状の挿通部と、矩形状の固定部とが連通されて成る保持用開口部が設けられており、
前記側方仕切板の前記第１支持板と連続する辺には、前記保持用開口部と隣接する折曲保持片が連設されており、該折曲保持片の前記側方仕切板と前記第１支持板とが連続する方向に対して直交する方向の長さが、前記側方仕切板の前記連結板と連続する辺に近づくに従って漸次短くなり、最も短い部分の長さが前記固定部の前記側方仕切板と前記第１支持板とが連続する方向に対して直交する方向の長さよりも短く、前記挿通部の前記側方仕切板と前記第１支持板とが連続する方向に対して直交する方向に最も短い部分よりも長くなるように形成されていることを特徴とする請求項３又は請求項４に記載の包装ケース。
【請求項６】
前記蓋板の前記側板と連続する辺に対向する辺には、折り線を介して挿入片が連設され、該挿入片と前記蓋板の間の折り線にはスリットが設けられており、更に、前記連結板には開口部が設けられ、前記側板の前記連結板と連続する辺には、前記開口部に突出する蓋板固定片が連設されていることを特徴とする請求項１乃至請求項５のいずれかに記載の包装ケース。
【発明の詳細な説明】
【技術分野】
【０００１】
本発明は、製品等を梱包する包装ケースにおいて、段ボール紙等の一枚板から組み立てられる包装ケースに関するものである。
【背景技術】
【０００２】
従来、原紙から打ち抜かれた一枚板から形成される包装ケースは、図１７に示されるようなものであった。すなわち、図１７（ａ）の包装ケースの展開図において、底板１００の四辺には側板１０１ａ，１０１ｂ及び１０１ｃが連設されている。そして、底板１００に連設された側板には、例えば、図１７においては、側板１０１ａの両端には接合片１０２ａが、側板１０１ｃの両端には接合片１０２ｃが連設されており、接合片１０２ａ及び１０２ｃの外面を側板１０１ｂの内面に接着することにより収容空間が形成される。
【０００３】
また、底板１００には、この底板１００と同じ大きさに形成され、４枚の側板１０１のいずれかに、底板１００との間に側板１０１を挟み、折り線１０３ａを介して、蓋板１０３が連設されている。更に、蓋板１０３の先端には、折り線１０３ｂを介して挿入片１０４が連設されている。そして、図１７（ｂ）に示す包装ケース組立後の斜視図において、折り線１０３ａ及び１０３ｂを折り畳むことにより、形成された箱体の上に蓋板１０３が被せられ、挿入片１０４が側板１０１ａの内側に沿って差し込まれ、蓋板１０３が形成された箱体に固定される。
【０００４】
上記のように構成された従来の包装ケースでは、組み立てる際に側板１０１を底板１００に対して垂直に屈曲させた状態で固定するための接合辺１０２が必要であり、また、この接合片１０２を側板１０１に対して固定する際に、接着剤等を用いる必要があるため組み立て作業が煩雑となっていた。
【０００５】
そこで、特許文献１には図１８に示すような包装ケースが提案されている。なお、図１８においては、（ａ）は展開状態、（ｂ）は組み立て途中、（ｃ）は組み立て後の状態を、それぞれ図示している。底板２００の両長辺側には側板２０１が連設されており、一方の側板２０１の側方には蓋板２０２が連設され、更に、この蓋板２０２の側方には挿入片２０３が連設されている。また、底板２００の両短辺側には端板２０４が連設されており、端板２０４の底板２００と対向する端部には当接片２０５が連設されている。そして、側板２０１と端板２０４と間には、底板２００の４つの角を夫々交点とする略Ｖ字状の折り線が設けられており、この折り線にて連結片２０６が形成されている。
【０００６】
このように構成された包装ケースの組み立てにあたっては、先ず、底板２００に対して両側の側板２０１及び端板２０４が上方に垂直に起こされ、これと同時に連結片２０６が端板２０４に対して垂直に曲げられるとともに、連結片２０６が側板２０１に沿わされ、当接片２０５が水平に曲げられる。次いで、挿入片２０３が蓋板２０２に対して垂直に曲げられるとともに蓋板２０２が水平になるように曲げられ、挿入片２０３が側板２０１の内面に沿って差し込まれ、蓋板２０２が固定される。なお、包装ケースが組み立てられると、両端で対向する連結片２０６間に空間Ｓが形成され、この空間Ｓと連結片２０６の面方向の弾性にて緩衝作用を有するようになっている。
【０００７】
しかし、特許文献１に記載の包装ケースでは、包装ケースを組み立てる際に接着剤等を用いる必要がないため、包装ケースの組み立て作業は容易となっており、作業効率の向上を図ることができるが、組み立てられた包装ケースには、製品等を収納する空間が一つだけであり、複数の製品等を収納するには仕切り板等を別途設けなくてはならないという問題があった。
【０００８】
そこで、特許文献２には図１９に示すような包装ケースが提案されている。なお、図１９においては、（ａ）は展開状態、（ｂ）は組み立て途中、（ｃ）は組み立て後の状態を図示している。図１９（ａ）に示すように、底板３００の両長辺側には側板３０１が連設されており、これらの両側板３０１の外側方には蓋板３０２が連接され、更に、これらの両蓋板３０２の外側には中仕切片３０３が連設されている。
【０００９】
また、底板３００の両短辺側には端板３０４が連設されており、側板３０１と端板３０４と間には、底板３００の４つの角を夫々交点とする略Ｖ字状の折り線を設けられており、この折り線にて台形状の切起用補助片３０５が形成されている。そして、前述した中仕切片３０３及び端板３０４には、嵌合用切欠き３０３ａ，３０４ａがそれぞれ設けられている。
【００１０】
上記のように構成された包装ケースを組み立てる際には、図１９（ｂ）に示すように、底板３００に対して両側の側板３０１を上方に折曲させていくと、両側板３０１の間に挟み付けられた端板３０４が自然に起立する。この状態で、包装ケースに収容される製品等を底板３００上に載せた後、側板３０１に連設された蓋板３０２及び中仕切片３０３を内向きに折曲させていき、各嵌合用切欠３０３ａ，３０４ａを嵌合させることにより、図１９（ｃ）に示すような、中仕切を備えた包装ケースが容易に且つ迅速に組立てられる。
【特許文献１】特開平５−１２４６３５号公報
【特許文献２】特開平５−１１２３５３号公報
【発明の開示】
【発明が解決しようとする課題】
【００１１】
しかしながら、特許文献２に記載の包装ケースでは、中仕切によって仕切られた２つの収容空間は、短手方向の長さについては異なる長さに設計することが可能であるが、長手方向の長さはどちらも底板と同じ長さに形成されることとなる。そのため、例えば、異なる長さを有する製品をそれぞれの収容空間に収納する場合には、少なくとも一方の収容空間には、製品のがたつきを抑制するための固定部材を別途設ける必要があり、また、製品が衝撃に弱い場合には、別途緩衝材を使用する必要があった。更に、特許文献１及び２に記載の包装ケースでは、蓋板を固定しなければ収容空間が形成されないため、包装ケースの組み立て及び製品等の梱包を同時に行わなければならないという問題があった。
【００１２】
本発明は、上述の問題点に鑑み、段ボール紙等の一枚板から組み立てられる包装ケースにおいて、接着剤等を用いることなく収容空間を維持することができ、また、複数の製品等を収納するための収容空間の仕切り板も一体に形成され、更に、収容空間に収納される製品等を位置決めする位置決め片、及び、緩衝材の機能を有する緩衝部が、本体の組立と同時に形成される包装ケースを提供することを目的とする。
【課題を解決するための手段】
【００１３】
上記目的を達成するために本発明は、一枚板から組み立てられる包装ケースにおいて、矩形状の底板と、該底板の対向する二辺に折り線を介して連設される端板と、前記底板の前記端板が設けられていない二辺に折り線を介して連設される側板と、該側板のうち、一方の側板の前記底板と連続する辺に対向する辺に折り線を介して連設される蓋板と、他方の側板の前記底板と連続する辺に対向する辺に折り線を介して連設される連結板と、該連結板の前記側板と連続する辺に対向する辺に折り線を介して連設される側方仕切板とからなり、前記端板及び前記側方仕切板にはそれぞれ嵌合用切欠が形成されており、前記端板に形成された嵌合用切欠と、前記側方仕切板に形成された嵌合用切欠とを係合させることで箱体が維持されることを特徴としている。
【００１４】
また本発明は、上記構成の包装ケースにおいて、前記側方仕切板の前記連結板と連続する辺に対向する辺には、折り線を介して縦方仕切板が連設され、該縦方仕切板の前記側方仕切板と連続する辺に対向する辺には、折り線を介して仕切板支持片が連設されていることを特徴としている。
【００１５】
また本発明は、上記構成の包装ケースにおいて、前記側方仕切板の前記連結板と連続する辺に対向する辺には、折り線を介して第１支持板が連設され、該第１支持板の前記側方仕切板と連続する辺に対向する辺には、折り線を介して台座板が連設され、該台座板の前記第１支持板と連続する辺に対向する辺には、第２支持板が連設されており、前記端板及び前記側方仕切板に形成された嵌合用切欠を係合させると、周囲を前記側方仕切板と前記端板と前記側板で囲まれ上面が開口した第１収納空間及び上面を前記連結板で覆われた第２収納空間が形成され、前記台座板を前記第１収納空間内へと折曲すると、前記台座板に設けられた位置決め片が、前記第２収納空間へと突出することを特徴としている。
【００１６】
また本発明は、上記構成の包装ケースにおいて、前記第１支持板の前記側方仕切板及び前記台座板が設けられていない２辺には外方へと延出する支持片が連設されており、前記側方仕切板の前記第１支持板と連続する辺側の両端部には外方へと延出する支持片が連設されており、前記台座板を前記第１収納空間へと折曲すると、前記台座板が前記第１支持板、前記第２支持板及び前記支持片によって支持されることを特徴としている。
【００１７】
また本発明は、上記構成の包装ケースにおいて、前記第１支持板には、前記側方仕切板と連続する辺から前記台座板と連続する辺に近づくに従って、前記側方仕切板と前記第１支持板とが連続する方向に対して直交する方向の長さが漸次短くなるように形成された台形状の挿通部と、矩形状の固定部とが連通されて成る保持用開口部が設けられており、前記側方仕切板の前記第１支持板と連続する辺には、前記保持用開口部と隣接する折曲保持片が連設されており、該折曲保持片の前記側方仕切板と前記第１支持板とが連続する方向に対して直交する方向の長さが、前記側方仕切板の前記連結板と連続する辺に近づくに従って漸次短くなり、最も短い部分の長さが前記固定部の前記側方仕切板と前記第１支持板とが連続する方向に対して直交する方向の長さよりも短く、前記挿通部の前記側方仕切板と前記第１支持板とが連続する方向に対して直交する方向に最も短い部分よりも長くなるように形成されていることを特徴としている。
【００１８】
また本発明は、上記構成の包装ケースにおいて、前記蓋板の前記側板と連続する辺に対向する辺には、折り線を介して挿入片が連設され、該挿入片と前記蓋板の間の折り線にはスリットが設けられており、更に、前記連結板には開口部が設けられ、前記側板の前記連結板と連続する辺には、前記開口部に突出する蓋板固定片が連設されていることを特徴としている。
【発明の効果】
【００１９】
本発明の第１の構成によれば、端板に形成された嵌合用切欠と側方仕切板に形成された嵌合用切欠を係合させることで箱体が維持されるため、箱体を形成するのに接着剤等を必要としないため組み立て作業が容易になり、また、箱体が維持されているため製品等の梱包も容易になる。更に、別途仕切板等を設けなくとも、前記側方仕切板によって箱体内部を２つの空間に仕切ることができるため、部品点数を削減可能となる。
【００２０】
本発明の第２の構成によれば、上記第１の構成の包装ケースにおいて、側方仕切板に連続した縦方仕切板と、縦方仕切板に連続した仕切板支持片とを一体形成することにより、側方仕切板により仕切られた空間を、別途仕切板等を設けることなく、縦方仕切板によって更に２つの空間に仕切ることができる。また、縦方仕切板は仕切板支持片によって支持されるため、接着剤等による固定が必要なく組み立て作業が容易になる。
【００２１】
本発明の第３の構成によれば、上記第１の構成の包装ケースにおいて、第２収納空間に収納される製品等の長手方向の長さが、両端板の距離よりも短い場合でも、位置決め片によって収納される製品等のがたつきが抑制されるため、固定部材を別途設ける必要がない。また、台座板を折曲させたとき、台座板に設けられている位置決め片が自動的に第２収納空間内へと突出するため、組立作業も容易であり作業効率を向上させることができる。
【００２２】
本発明の第４の構成によれば、上記第３の構成の包装ケースにおいて、台座板は第１支持板、第２支持板及び支持片によって支持されるため、第１支持板及び第２支持板のみで台座板を支持した場合よりも、落下衝撃時等に台座板がより潰れにくくなり、収納される製品等に対して適度な緩衝性を維持することができる。
【００２３】
本発明の第５の構成によれば、上記第３又は第４の構成の包装ケースにおいて、側方仕切板と第１支持板との間の折り線の折曲させた後、折曲保持片を、挿通部を通して固定部へと嵌合させることにより、側方仕切板と第１支持板との間の折り線の折曲を保持することができるため、側方仕切板等を折り込み嵌合用切欠を嵌合させる作業が容易に行うことができる。また、側方仕切板と第１支持板との間の折り線の折曲が保持されるため、台座板を支持する第１支持板が底板に対して傾倒することを防止することができる。
【００２４】
本発明の第６の構成によれば、上記第１乃至第５のいずれかの構成の包装ケースにおいて、蓋板に連続した挿入片と、該挿入片と前記蓋板の間にスリットを設け、更に、連結板に開口部を設け、該開口部に側板と連続した蓋板固定片を設けたことにより、前記挿入片を前記開口部に挿入し、前記蓋板固定片を前記スリットに差し込むことで、容易に且つ強固に蓋板を固定することができる。
【発明を実施するための最良の形態】
【００２５】
以下、本発明を実施するための最良の形態について図面に基づいて説明する。先ず、図１を参照して、本発明の第１実施形態に係る包装ケース１の構成について説明する。図１は第１実施形態に係る包装ケースの展開図である。なお、図１において、斜線で示す部分は打抜かれた開口部分を示すものとし、また、長方形状の底板２の一辺方向（図１においては短辺方向）をＸ軸方向、それと直角な方向（図１においては長辺方向）をＹ軸方向と称することにする。
【００２６】
包装ケース１は、段ボール等の弾性を有する一枚板から形成されており、長方形状の底板２のＸ軸方向両端縁には折り線を介して側板３，４が連設されている。これらの側板３，４のＹ軸方向の長さは底板２のＹ軸方向の長さよりも若干長く形成され、それぞれのＸ軸方向の長さが互いに同等となるように形成されている。
【００２７】
また、底板２のＹ軸方向両端縁には折り線を介して端板５がそれぞれ連設されている。これらの端板５のＸ軸方向の長さは底板２のＸ軸方向の長さと略同一に形成されており、Ｙ軸方向の長さは側板３，４のＸ軸方向の長さと略同一に形成されている。更に、両端板５の底板２と連続する辺に対向する辺には、底板２の方向へ延びる嵌合用切欠５ａが形成されている。そして、側板３と端板５との間には連結片６が、側板４と端板５との間には連結片７がそれぞれに折り線を介して連設されている。
【００２８】
側板３の底板２と連続する辺に対向する辺には、折り線を介して蓋板８が連設されており、この蓋板８のＸ軸方向の長さは底板２のＸ軸方向の長さと略同一に、Ｙ軸方向の長さは側板３のＹ軸方向の長さと略同一に形成されている。更に、この蓋板８の側板３と連続する辺に対向する辺には、折り線を介して挿入片９が連設されており、この挿入片９には、蓋板８との間の折り線に沿ってＹ軸方向略中央部にスリット９ａが穿設されている。なお、スリット９ａのＹ軸方向の長さは、後述する蓋板固定片１５を挿入することができるよう、蓋板固定片１５のＹ軸方向の長さよりも若干長く形成されている。
【００２９】
側板４の底板２と連続する辺と対向する辺には、連結板１０、側方仕切板１１、縦方仕切板１２及び仕切板支持片１３が、それぞれ折り線を介して順に連設されている。これらのＹ軸方向の長さは、連結板１０及び側方仕切板１１は、側板４のＹ軸方向の長さと略同一に、縦方仕切板１２及び仕切板支持片１３は、底板２のＹ軸方向の長さと略同一に形成されている。
【００３０】
そして、連結板１０及び縦方仕切板１２のＸ軸方向の長さは、これら連結板１０と縦方仕切板１２とのＸ軸方向の長さの和が、底板２のＸ軸方向の長さと略同一となるように形成されており、側方仕切板１１のＸ軸方向の長さは、側板４のＸ軸方向の長さよりも短く形成され、仕切板支持片１３のＸ軸方向の長さは、側方仕切板１１のＸ軸方向の長さと略同一に形成されている。
【００３１】
また、連結板１０のＹ軸方向中央部にはＸ軸方向全幅にわたって開口された開口部１４が穿設されており、この開口部１４へと突出するように、側板４には蓋板固定片１５が設けられている。更に、側方仕切板１１の縦方仕切板１２と連続する辺には、縦方仕切板１２のＹ軸方向両端部から底板２に向かって延びる嵌合用切欠１１ａが形成されている。
【００３２】
続いて、上記のように構成された包装ケースの組み立てについて、図２〜図５に基づいて説明する。図２〜４は、第１実施形態に係る包装ケースの組み立て途中の斜視図であり、図２は両側板及び両端板を持ち上げた状態、図３は両側板及び両端板を垂直に屈曲した状態、図４は側板及び側方仕切板に設けられた嵌合用切欠を係合した状態を図示している。また、図５は第１実施形態に係る包装ケースの組み立て後を示す斜視図である。
【００３３】
包装ケース１を組み立てるには、先ず、図２に示すように、両側の側板３，４を矢印Ａに示すように、両端板５を矢印Ｂに示すように底板２に対して上方へと持ち上げる。これと同時に、連結片６，７を端板５の外側へと折り曲げて、連結片６は側板３の内面に、連結片７は側板４の内面に沿わせる。次いで、図３に示すように側方仕切板１１を矢印Ｃに示すように折り込んでいく、この時、端板５に形成された嵌合用切欠５ａと側方仕切板１１に形成された嵌合用切欠１１ａを係合させる。これにより、側方仕切板１１が端板５へと固定され、箱体が維持され収容空間が形成される。
【００３４】
なお、上記のように形成された箱体内部は、図４に示すように、側方仕切板１１によって側方に仕切られ、更に、縦方仕切板１２によって高さ方向に仕切られることにより、側板３、端板５及び側方仕切板１１によって囲まれ、縦方仕切板１２によって上下に分割された２つの収納空間及び、側板４、端板５及び側方仕切板１１によって囲まれた収容空間とが形成される。
【００３５】
これらの収容空間に製品等を収納した後、図４に示すように蓋板８を矢印Ｄに示す方向へと折り曲げていき、挿入片９を連結板１０に設けられた開口部１４に側板４の内面に沿うように挿入すると、仕切板支持片１３が側板３の内面に沿って上方に垂直に折り曲げられ、その先端が蓋板８へ当接することにより、縦方仕切板１２が固定される。
【００３６】
そして、開口部１４に挿入された挿入片９に設けられたスリット９ａに、外面側から蓋板固定片１５を挿入することにより包装ケースの組み立てが完了する。ここで、図５に示すように、組み立てられた包装ケースの両端部には、側板３，４、連結片６，７、蓋板８及び側方仕切板１１の両端部が突出するようになっており、端面方向の衝撃に対してはこれらの突出部位が緩衝作用を有するようになっている。
【００３７】
以上のように、端板５に形成された嵌合用切欠５ａと側方仕切板１１に形成された嵌合用切欠１１ａを係合させることで箱体が維持されるため、箱体を形成するのに接着剤等を必要としないため組み立て作業が容易になり、また、箱体が維持されているため製品等の梱包も容易になる。更に、別途仕切板等を設けなくとも、側方仕切板１１及び縦方仕切板１２によって箱体内部を３つの空間に仕切ることができるため、部品点数を削減可能となる。
【００３８】
次に、図６を参照して、本発明の第２実施形態に係る包装ケース１の構成について説明する。図６は第２実施形態に係る包装ケースの展開図である。なお、第１実施形態の図１と共通の部分に同一の符号を付して説明を省略する。また、図１と同様に、斜線で示す部分は打抜かれた開口部分を示すものとし、長方形状の底板２の一辺方向（図６においては短辺方向）をＸ軸方向、それと直角な方向（図６においては長辺方向）をＹ軸方向と称することにする。
【００３９】
本実施形態に係る包装ケース１では、底板２には、側板３との間の折り線に沿ってＹ軸方向略中央部にスリット２ａが穿設されている。なお、スリット２ａのＹ軸方向の長さは、後述する支持板固定片１９ａを挿入することができるよう、支持板固定片１９ａのＹ軸方向の長さよりも若干長く形成されている。
【００４０】
そして、側板４の底板２と連続する辺に対向する辺には、連結板１０、側方仕切板１６、第１支持板１７、台座板１８及び第２支持板１９が、それぞれ折り線を介して順に連設されている。これらのＹ軸方向の長さは、連結板１０及び側方仕切板１６は、側板４のＹ軸方向の長さと略同一に、第１支持板１７、台座板１８及び第２支持板１９は、底板２のＹ軸方向の長さと略同一に形成されている。
【００４１】
また、これらのＸ軸方向の長さは、側方仕切板１６は側板４のＸ軸方向の長さと略同一に形成されており、第１支持板１７と第２支持板１９は、それぞれの長さが互いに等しくなるように形成されている。そして、連結板１０と台座板１８は、これらの連結板１０と台座板１８のＸ軸方向の長さの和が、底板２のＸ軸方向の長さと略同一となるように形成されている。
【００４２】
また、側方仕切板１６、には連結板１０に穿設された開口部１４へと延出するように、フラップ２０ａ，２０ｂがそれぞれ設けられている。また、側方仕切板１６の第１支持板１７と連続する側の辺は、連結板１０と連続する側の辺に比べて短く形成されており、その長さは底板２のＹ軸方向の長さと略同一となるように形成されている。そして、側方仕切板１６には、第１支持板１７と連続する側の辺のＹ軸方向両端部から底板２に向かって延びる嵌合用切欠１６ａが設けられている。
【００４３】
更に、第１支持板１７のＹ軸方向両端縁には、第１支持板１７のＸ軸方向の長さと同等の幅を有し、第１支持板１７のＹ軸方向外方へと延出する支持片１７ａが連設されており、側方仕切板１６の第１支持板１７と連続する側の長辺のＹ軸方向両端部には、第１支持板１７に設けられた支持片１７ａと同形状の支持片１６ｂが、Ｙ軸方向外方へと延出するように連設されている。
【００４４】
また、第１支持板１７のＹ軸方向略中央部には、Ｘ軸方向全幅にわたって開口された保持用開口部２１が穿設されている。この保持用開口部２１は、第１支持板１７の側方仕切板１６と連続する辺から台座板１８と連続する辺に近づくに従ってＹ軸方向の長さ、すなわち側方仕切板１６と第１支持板１７とが連続する方向に対して直交する方向の長さが漸次短くなるように形成された台形状の挿通部２１ａと、矩形状の固定部２１ｂとが連通されて成るものである。
【００４５】
ここで、固定部２１ｂは、第１支持板１７の台座板１８と連続する辺に沿って穿設され、そのＸ軸方向の長さが段ボールシートの厚さよりも若干長く、そのＹ軸方向の長さが、台形状の挿通部２１ａのＹ軸方向に最も短く形成された部分よりも若干長く形成されており、そのため、保持用開口部２１には、挿通部２１ａと固定部２１ｂとの間に、保持用開口部２１の内方へと突出する突出部２１ｃ（図１２参照）が形成されている。
【００４６】
そして、側方仕切板１６の第１支持板１７と連続する側の辺には、前述した保持用開口部２１に隣接するように折曲保持片２２が設けられている。この折曲保持片２２のＸ軸方向の長さは、保持用開口部２１のＸ軸方向の長さ、すなわち、第１支持板１７のＸ軸方向の長さと略同一に形成されている。
【００４７】
また、折曲保持片２２のＹ軸方向の長さ、すなわち側方仕切板１６と第１支持板１７とが連続する方向に対して直交する方向の長さは、側方仕切板１６の第１支持板１７と連続する辺上が最も長く、挿通部２１ａのＹ軸方向に最も長い部分と略同一に形成されており、側方仕切板１６の連結板１０と連続する辺に近づくに従ってＹ軸方向の長さが漸次短くなり、最も短い部分の長さは保持用開口部２１の固定部２１ｂのＹ軸方向の長さよりも若干短く、挿通部２１ａのＹ軸方向に最も短い部分よりも若干長くなるように形成されている。従って、折曲保持片２２のＹ軸方向の長さは、どの位置においても挿通部２１ａのＹ軸方向に最も短く形成された部分よりも長くなっている。
【００４８】
更に、第１支持板１７には、保持用開口部２１のＹ軸方向外方側にそれぞれ挿通用開口部２３ａ，２３ｂが穿設されている。これらの挿通用開口部２３ａ，２３ｂは、第１支持板１７のＸ軸方向全幅にわたって開口され、更に、第１支持板１７と側方仕切板１６との間の折り線を跨いで側方仕切板１６へと延びるように穿設されている。そして、台座板１８には、この挿通用開口部２３ａ，２３ｂへとそれぞれ延出する位置決め片２４ａ，２４ｂが連設されている。また、第２支持板１９の台座板１８と連続する辺に対向する辺のＹ軸方向略中央部には支持板固定片１９ａが設けられている。
【００４９】
次に、図７〜図１４を参照して、上記のように構成された包装ケース１の組み立てについて説明する。図７〜図１０は第２実施形態に係る包装ケース１の組み立て途中を示す斜視図であり、図７は保持片によって折曲を保持した状態、図８は側板及び端板を上方へと折曲させた状態、図９は嵌合用切欠部を嵌合させた状態、図１０は台座板を折曲し緩衝部分を成形した状態を図示している。そして、図１１は第２実施形態に係る包装ケースの組み立て後の斜視図である。
【００５０】
また、図１２は保持片の保持開口部への折曲を説明するための拡大斜視図であり、（ａ）は折曲前、（ｂ）は折曲途中、（ｃ）は折曲後をそれぞれ図示している。図１３は支持片の折曲について説明する斜視図である。図１４及び図１５は位置決め部分の成形を説明するための斜視図である。図１６は第２収納空間に製品等が収納された状態を図示するものであり、図１５に１点差線Ｉで示す位置で切断した断面図（矢視Ｉ−Ｉ線断面図）である。
【００５１】
本実施形態に係る包装ケース１を組み立てる際には、先ず、図７に示すように、側板４と連結板１０との間の折り線を折曲して、連結板１０、側方仕切板１６、第１支持板１７、台座板１８及び第２支持板１９を上方へと持ち上げた後、側方仕切板１６と第１支持板１７との間の折り線を矢印Ｅに示すように、第１支持板１７、台座板１８及び第２支持板１９が側方仕切板１６に対して、底板２等が位置する側と逆側に位置するように折曲させ、折曲保持片２２を保持用開口部２１内へと折曲して、側方仕切板１６と第１支持板１７との間の折り線の折曲を保持する。
【００５２】
ここで、図１２を参照して、折曲保持片２２による側方仕切板１６と第１支持板１７との間の折り線の折曲について詳述する。側方仕切板１６と第１支持板１７との間の折り線を、図７の矢印Ｅ方向に折曲すると、図１２（ａ）に示すように、保持用開口部２１と折曲保持片２２とが互いに対向するようになる。この状態にした後、折曲保持片２２を保持用開口部２１内へと折曲させる。
【００５３】
この時、前述したように、折曲保持片２２のＹ軸方向の長さはどの位置においても、挿通部２１ａのＹ軸方向に最も短く形成された部分よりも長く形成されており、折曲保持片２２は突出部２１ｃに当接するため、図１２（ｂ）に示すように、折曲保持片２２及び突出部２１ｃは一時的に弾性変形するが、折曲保持片２２が完全に固定部２１ｂに嵌合されると、突出部２１ｃは自己の弾性により元の位置へと復帰して、図１２（ｃ）に示すように、突出部２１ｃが折曲保持片２２上に突出するようになり、折曲保持片２２が元の位置へと戻ることが防止される。
【００５４】
そして、図１２（ｃ）に示すように、折曲保持片２２が固定部２１ｂに嵌合されると、前述したように、折曲保持片２２のＹ軸方向の長さは、先端に近づくに従ってＹ軸方向の長さが漸次長くなるように形成されており、側方仕切板１６と第１支持板１７との間の折り線を、図７の矢印Ｅと反対の方向に折曲しようとすると、折曲保持片２２のＹ軸方向両端部が固定部２１ｂのＹ軸方向両端部に干渉するため、側方仕切板１６と第１支持板１７との間の折り線の折曲が保持されることとなる。
【００５５】
側方仕切板１６と第１支持板１７との間の折り線の折曲させた後、図８に示すように、両側の側板３，４及び両端板５を底板２に対して上方に持ち上げ、垂直に起立させる。これと同時に、連結片６，７は端板５の外側へと曲げられると共に、連結片６は側板３の内面に、連結片７は側板４の内面に沿わせられる。次いで、側方仕切板１６及び第１支持板１７等を図８に矢印Ｆで示すように折り込んでいく。なお、この時、前述したように折曲保持片２２によって側方仕切板１６と第１支持板１７との間の折り線の折曲が保持されているため、側方仕切板１６等の折り込み作業が容易に行えるようになっている。
【００５６】
更にこの時、端板５に形成された嵌合用切欠５ａと側方仕切板１６に形成された嵌合用切欠１６ａを嵌合させることにより、図９に示すように、側方仕切板１６が端板５へと固定されて箱体が維持されるようになる。そして、上記のように形成された箱体内部は、図９に示すように、側方仕切板１６によって側方に仕切られ、側板３、端板５及び側方仕切板１６によって囲まれた第１収納空間Ｓ１と、側板４、端板５及び側方仕切板１６によって囲まれた第２収納空間Ｓ２が形成される。
【００５７】
また更に、側方仕切板１６及び第１支持板１７等を折り込んでいく際、図１３に示すように、側方仕切板１６及び第１支持板１７のＹ軸方向両端部に設けられた支持片１６ｂ，１７ａは、両端板５に当接することにより箱体の内方へと折曲され、図９に示すように、箱体が形成されると自動的に第１収納空間Ｓ１内の底板２上のＹ軸方向両端部に、立ち上がった状態で配置されるようになっている。
【００５８】
そして、箱体を形成した後、図９に矢印Ｇで示す方向に台座板１８を折曲させる。この時、台座板１８と第２支持板１９との間の折り線を、第２支持板１９が台座板１８に対して垂直下方に起立するように折曲し、第２支持板１９に設けられた支持板固定片１９ａを、底板２に穿設されたスリット２ａへと挿入する。これにより、台座板１８が第１支持板１７及び第２支持板１９によって支持され底緩衝部分が形成される。
【００５９】
なお、第１支持板１７は、その下端部は側方仕切板１６と連続しているため、この側方仕切板１６によって固定されており、前述したように側方仕切板１６との間の折り線の折曲が折曲保持片２２によって保持されているため、第１支持板１７が底板２に対して傾倒することが防止される。また、第２支持板１９は、その下端部は支持板固定片１９ａとスリット２ａとの係合によって固定されているため、第２支持板１９が底板２に対して傾倒することが防止されている。
【００６０】
ここで、台座板１８は、そのＸ軸方向両端縁を第１支持板１７及び第２支持板１９によって支持されるが、更に、そのＹ軸方向両端部を支持片１６ｂ，１７ａによって支持されるようになるため、第１支持板１７及び第２支持板１９のみで台座板１８を支持した場合よりも、落下衝撃時等に台座板１８がより潰れにくくなり、収納される製品等に対して適度な緩衝性を維持することができる。
【００６１】
また、図１４及び図１５に示すように、台座板１８を折曲させたとき、台座板１８に連設されている位置決め片２４ａ，２４ｂが、それぞれ挿通用開口部２３ａ，２３ｂを挿通して、自動的に第２収納空間Ｓ２内へと突出するようになる。これにより、第１収納空間Ｓ１に比べて第２収納空間Ｓ２に収納される製品等の長手方向の長さが短い場合であっても、これらの位置決め片２４ａ，２４ｂによって第２収納空間Ｓ２に収納される製品等のがたつきが抑制されるため、固定部材を別途設ける必要がない。
【００６２】
そして、図１６に示すように、第２収納空間Ｓ２に製品等の収納物２５を収納することとなるが、この収納物２５に突出部分２５ａがある場合には、フラップ２０ａ，２０ｂを開口部１４内へと折曲して、収納物２５の突出部分２５ａのＹ軸方向両端に当接させることにより、より効果的に収納物２５のがたつきを抑制することができる。
【００６３】
更に、例えば、図１６に示すように突出部分２５ａが収納物２５のＹ軸方向中央部に位置していない場合、すなわち収納物２５がＹ軸方向に非対称である場合には、収納物２５を１８０°回転させると、点線で示すように突出部分２５ａがフラップ２０ａと干渉することとなり、フラップ２０ａを折曲することができない。従って、位置決め片２４及びフラップ２０の位置を調整することにより収納物２５の収納方向を限定することも可能である。
【００６４】
第１収納空間Ｓ１及び第２収納空間Ｓ２に製品等を収納した後、図１０に示すように蓋板８を矢印Ｈに示す方向へと折曲させて、挿入片９を連結板１０に設けられた開口部１４に側板４の内面に沿うように挿入し、開口部１４に挿入された挿入片９に設けられたスリット９ａに、外面側から蓋板固定片１５を挿入することにより包装ケースの組み立てが完了する。ここで、図１１に示すように、組み立てられた包装ケースの両端部には、側板３，４、連結片６，７、蓋板８及び側方仕切板１６の両端部が突出するようになっており、端面方向の衝撃に対してはこれらの突出部位が緩衝作用を有するようになっている。
【００６５】
なお、本発明は上記実施形態に限られるものではなく、本発明の趣旨を逸脱しない範囲で種々の変更が可能であり、例えば、上記第１実施形態においては、側方仕切板１１及び縦方仕切板１２によって仕切られた空間を全て製品等収容空間としたが、これらは製品等を収容せずに緩衝スペースとして利用することも可能である。また、側方仕切板１１及び縦方仕切板１２は位置、大きさ及び枚数を自由に変更することができ、収容する製品等の大きさや個数に応じて適宜変更することができる。また、第２実施形態においては、位置決め片２４及び挿通用開口部２３の個数及びその形状は適宜変更することができる。
【産業上の利用可能性】
【００６６】
本発明は、段ボール紙等の一枚板から組み立てられる包装ケースに利用することにより、組み立て作業性や梱包作業性の向上した包装ケースを提供することができ、また、収容される製品等を位置決めする位置決め片や、緩衝材の機能を有する緩衝部が、本体に一体形成されているため、構成部品の削減によりコストの低減にも貢献する。
【図面の簡単な説明】
【００６７】
【図１】は、本発明の第１実施形態に係る包装ケースの展開図である。
【図２】は、第１実施形態の包装ケースの組み立て途中を示す斜視図であり、両側板及び両端板を持ち上げた状態を示す斜視図である。
【図３】は、第１実施形態の包装ケースの組み立て途中を示す斜視図であり、両側板及び両端板を垂直に屈曲した状態を示す斜視図である。
【図４】は、第１実施形態の包装ケースの組み立て途中を示す斜視図であり、嵌合用切欠部を嵌合させた状態を示す斜視図である。
【図５】は、第１実施形態に係る包装ケースの組み立て後の斜視図である。
【図６】は、本発明の第２実施形態に係る包装ケースの展開図である。
【図７】は、第２実施形態の包装ケースの組み立て途中を示す斜視図であり、保持片によって折曲を保持した状態を示す斜視図である。
【図８】は、第２実施形態の包装ケースの組み立て途中を示す斜視図であり、側板及び端板を上方へと折曲させた状態を示す斜視図である。
【図９】は、第２実施形態の包装ケースの組み立て途中を示す斜視図であり、嵌合用切欠部を嵌合させた状態を示す斜視図である。
【図１０】は、第２実施形態の包装ケースの組み立て途中を示す斜視図であり、台座板を折曲し緩衝部分を成形した状態を示す斜視図である。
【図１１】は、第２実施形態に係る包装ケースの組み立て後の斜視図である。
【図１２】は、保持片の保持開口部への折曲を説明するための斜視図であり、（ａ）は折曲前、（ｂ）は折曲途中、（ｃ）は折曲後を示す斜視図である。
【図１３】は、第２実施形態の包装ケースの組み立て途中を示す斜視図であり、支持片の折曲について説明する斜視図である。
【図１４】は、第２実施形態の包装ケースの組み立て途中を示す斜視図であり、位置決め部分の成形を説明する斜視図である。
【図１５】は、第２実施形態の包装ケースの組み立て途中を示す斜視図であり、位置決め部分の成形を説明する斜視図である。
【図１６】は、第２収納空間に製品等が収納された状態を図示するものであり、図１５に１点差線Ｉで示す位置で切断した断面図（矢視Ｉ−Ｉ線断面図）である。
【図１７】は、従来の包装ケースを示す図であり、（ａ）は展開図、（ｂ）は組み立て後の斜視図である。
【図１８】は、特許文献１に提案された従来の包装ケースを示す図であり、（ａ）は展開図、（ｂ）は組み立て途中を示す斜視図、（ｃ）は組み立て後の斜視図である。
【図１９】は、特許文献２に提案された従来の包装ケースを示す図であり、（ａ）は展開図、（ｂ）は組み立て途中を示す斜視図、（ｃ）は組み立て後の斜視図である。
【符号の説明】
【００６８】
１      包装ケース
２      底板
２ａ    スリット
３，４  側板
５      端板
５ａ    嵌合用切欠
６，７  連結片
８      蓋板
９      挿入片
９ａ    スリット
１０    連結板
１１    側方仕切板
１１ａ  嵌合用切欠
１２    縦方仕切板
１３    仕切板支持片
１４    開口部
１５    蓋板固定片
１６    側方仕切板
１６ａ  嵌合用切欠
１６ｂ，１７ａ  支持片
１７    第１支持板
１８    台座板
１９    第２支持板
１９ａ  支持板固定片
２０ａ，２０ｂ  フラップ
２１    保持用開口部
２１ａ  挿通部
２１ｂ  固定部
２１ｃ  突出部
２２    折曲保持片
２３ａ，２３ｂ  挿通用開口部
２４ａ，２４ｂ  位置決め片
２５    収納物
２５ａ  突出部分
Ｓ１    収納空間
Ｓ２    収納空間
【図１】
2008056346.tif 000003
【図２】
2008056346.tif 000004
【図３】
2008056346.tif 000005
【図４】
2008056346.tif 000006
【図５】
2008056346.tif 000007
【図６】
2008056346.tif 000008
【図７】
2008056346.tif 000009
【図８】
2008056346.tif 000010
【図９】
2008056346.tif 000011
【図１０】
2008056346.tif 000012
【図１１】
2008056346.tif 000013
【図１２】
2008056346.tif 000014
【図１３】
2008056346.tif 000015
【図１４】
2008056346.tif 000016
【図１５】
2008056346.tif 000017
【図１６】
2008056346.tif 000018
【図１７】
2008056346.tif 000019
【図１８】
2008056346.tif 000020
【図１９】
2008056346.tif 000021